(57)【要約】【課題】コンピュータに接続されて、コンピュータに設定された設定値に応じて動作するコンピュータ周辺装置及び情報処理装置及びコンピュータシステム及びコンピュータの動作設定方法、及び、学習機能付きリモートコントローラ、並びに、学習機能付きリモートコントローラの学習情報設定方法に関し、設定情報など各種を複数の機器で共有できるコンピュータ周辺装置及び情報処理装置及びコンピュータシステム及びコンピュータの動作設定方法、及び、学習機能付きリモートコントローラ、並びに、学習機能付きリモートコントローラの学習情報設定方法を提供することを目的とする。【解決手段】本発明は、コンピュータに接続されて、コンピュータに設定された設定値に応じて動作する周辺装置の動作設定方法であって、コンピュータで設定された設定値を記憶し、コンピュータへの接続時に記憶手段から設定値を読み出してコンピュータに供給し、コンピュータに周辺装置から供給された設定値を周辺装置の設定値として設定させることを特徴とする。【選択図】図３
2006171846.tif 000002
【特許請求の範囲】
【請求項１】
コンピュータに接続され、該コンピュータで設定された設定値に基づいて動作するコンピュータ周辺装置において、
前記設定値を記憶する記憶手段と、
前記コンピュータで設定された設定値を前記記憶手段に記憶するとともに、前記コンピュータへの接続時に前記記憶手段から前記設定値を読み出して前記コンピュータに設定する制御手段とを有することを特徴とするコンピュータ周辺装置。
【請求項２】
前記記憶手段は、可換式記憶媒体から構成されたことを特徴とする請求項１記載のコンピュータ周辺装置。
【請求項３】
前記記憶手段は、識別情報を記憶する識別情報記憶手段とを有し、
前記制御手段は、前記識別情報記憶手段に記憶された識別情報と前記可換式記憶媒体に記憶された識別情報とが一致したときに動作を許可することを特徴とする請求項２記載のコンピュータ周辺装置。
【請求項４】
コンピュータを操作する操作手段を有し、
前記記憶手段は、前記操作手段の操作情報を記憶しており、
前記制御手段は、前記記憶手段に記憶された前記操作情報を読み出し、前記コンピュータに送出し、前記コンピュータを操作することを特徴とする請求項１乃至３のいずれか一項記載のコンピュータ周辺装置。
【請求項５】
前記制御手段は、前記記憶手段又は前記可換式記憶媒体に前記コンピュータから各種情報を記憶可能とするとともに、前記記憶手段又は前記可換式記憶媒体に記憶された情報を前記コンピュータに読み出し可能としたことを特徴とする請求項１乃至４のいずれか一項記載のコンピュータ周辺装置。
【請求項６】
コンピュータに接続され、該コンピュータにより動作するコンピュータ周辺装置において、
前記識別情報を記憶する記憶手段と、
前記コンピュータへの接続時に、前記識別情報に基づいて認証処理を行い、承認時に前記コンピュータの配下で動作可能とする制御手段とを有することを特徴とするコンピュータ周辺装置。
【請求項７】
設定値に基づいて動作する周辺装置が接続される情報処理装置において、
前記設定値を前記周辺装置から読み出し、読み出した設定値に基づいて前記周辺装置を動作させることを特徴とする情報処理装置。
【請求項８】
コンピュータと、該コンピュータに接続されて、該コンピュータに設定された設定値に応じて動作する周辺装置とを有するコンピュータシステムにおいて、
前記周辺装置は、前記コンピュータで設定された設定値を予め記憶しており、前記コンピュータへの接続時に記憶された前記設定値を読み出して前記コンピュータに供給し、
前記コンピュータは、前記周辺装置から供給された設定値を前記周辺装置の設定値として設定することを特徴とするコンピュータシステム。
【請求項９】
コンピュータに接続されて、該コンピュータに設定された設定値に応じて動作する周辺装置の動作設定方法であって、
前記コンピュータで設定された設定値を記憶し、前記コンピュータへの接続時に前記記憶手段から前記設定値を読み出して前記コンピュータに供給し、
前記コンピュータに、前記周辺装置から供給された設定値を前記周辺装置の設定値として設定させることを特徴とする周辺装置の動作設定方法。
【請求項１０】
学習情報に基づいて電子機器のリモートコントロールを可能とする学習機能付きリモートコントローラにおいて、
可換式記憶媒体を挿着脱可能とする可換式記憶媒体実装手段と、
前記可換式記憶媒体に前記学習情報を記憶可能であるとともに、前記可換式記憶媒体に記憶された学習情報に基づいて前記電子機器をリモートコントロールする制御手段とを有することを特徴とする学習機能付きリモートコントローラ。
【請求項１１】
学習情報に基づいて電子機器のリモートコントロールを可能とする学習機能付きリモートコントローラの学習情報設定方法であって、
学習機能付きリモートコントローラは、可換式記憶媒体を挿着脱可能とする記憶装置挿着脱手段と、前記可換式記憶媒体に前記学習情報を記憶可能であるとともに、前記可換式記憶媒体に記憶された学習情報に基づいて前記電子機器をリモートコントロールする制御手段とを有し、
コンピュータシステムにより取得した学習情報を前記可換式記憶媒体に記憶した後、前記可換式記憶媒体を前記リモートコントローラの前記可換式記憶媒体に装着することにより、前記リモートコントローラに前記可換式記憶媒体から前記学習情報を設定することを特徴とする学習機能付きリモートコントローラの学習情報設定方法。
【発明の詳細な説明】
【技術分野】
【０００１】
本発明はコンピュータ周辺装置及び情報処理装置及びコンピュータシステム及びコンピュータの動作設定方法、及び、学習機能付きリモートコントローラ、並びに、学習機能付きリモートコントローラの学習情報設定方法に係り、特に、コンピュータに接続されて、コンピュータに設定された設定値に応じて動作するコンピュータ周辺装置及び情報処理装置及びコンピュータシステム及びコンピュータの動作設定方法、及び、学習機能付きリモートコントローラ、並びに、学習機能付きリモートコントローラの学習情報設定方法に関する。
【背景技術】
【０００２】
パーソナルコンピュータなどのコンピュータシステムには、キーボード、ポインティングデバイスが必要不可欠である。キーボードやポインティングデバイスなどのデバイスは、その動作、例えば、応答速度、移動速度などをコンピュータ本体にインストールされたＯＳ（operating system）でカスタマイズ可能な構成とされている。
【０００３】
図１は従来の一例の動作説明図を示す。
【０００４】
従来の情報処理システム１では、入力装置１１からコンピュータ本体１２に送られた情報は、ＯＳ２１に設定された操作環境を決定する設定値３１に基づいて所望の応答速度、移動速度となるようにデータ処理され、ディスプレイ１３に反映されていた。このとき、入力装置１１の操作環境を決定する設定値３１は、ＯＳ２１、すなわち、コンピュータ本体１２で決定されていたため、コンピュータ本体１２が代わると、設定し直さなければならず、操作を常に同じにすることはできなかった。
【０００５】
なお、キーボード自体の操作性を向上させるために、キーボードにメモリカードを装着脱可能として一のキーボードの操作手順をメモリカードに記憶し、他のキーボードで、一のキーボードの操作手順を再現可能とした装置が提案されている（特許文献１参照）。
【０００６】
また、同様に、キーボード自体の操作性を向上させるために、メモリカードを換えることにより任意の変換コードに変更できるキーボードが提案されていた（特許文献２参照）。
【０００７】
【特許文献１】特開２０００−２５９３２９号公報
【特許文献２】特開平５−２５７５８８号公報
【発明の開示】
【発明が解決しようとする課題】
【０００８】
しかるに、従来のコンピュータシステムでは、ＯＳ側に設定情報が設定されていたため、デバイスを接続するホストが変れば、設定値が変ってしまうため、デバイスを同じように操作できないなどの課題があった。
【０００９】
本発明は上記の点に鑑みてなされたもので、設定情報など各種を複数の機器で共有できるコンピュータ周辺装置及び情報処理装置及びコンピュータシステム及びコンピュータの動作設定方法、及び、学習機能付きリモートコントローラ、並びに、学習機能付きリモートコントローラの学習情報設定方法を提供することを目的とする。
【課題を解決するための手段】
【００１０】
本発明は、コンピュータに接続されて、コンピュータに設定された設定値に応じて動作する周辺装置の動作設定方法であって、コンピュータで設定された設定値を記憶手段に記憶し、コンピュータへの接続時に記憶手段から設定値を読み出してコンピュータに供給し、コンピュータに周辺装置から供給された設定値を周辺装置の設定値として設定させることを特徴とする。
【発明の効果】
【００１１】
本発明によれば、コンピュータで設定された設定値を記憶手段に記憶し、コンピュータへの接続時に記憶手段から設定値を読み出してコンピュータに供給し、コンピュータに周辺装置から供給された設定値を周辺装置の設定値として設定することにより、コンピュータによらず、所望の設定値で装置を動作させることが可能となる等の特長を有する。
【発明を実施するための最良の形態】
【００１２】
〔第１実施例〕
図２は本発明の第１実施例のシステム構成図を示す。
【００１３】
本実施例のシステム１００は、入力装置１１１、マウス１１２、コンピュータ本体１１３、表示装置１１４から構成されている。
【００１４】
入力装置１１１は、特許請求の範囲のコンピュータ周辺装置であり、例えば、キーボード、マウス、トラックボールなどのコンピュータ本体１１２を操作するための入力機器である。
【００１５】
図３は入力装置１１１のブロック構成図を示す。
【００１６】
入力装置１１１は、入力装置１１１は、入力操作部１２１、制御部１２２、インタフェース部１２３、記憶部１２４から構成されている。
【００１７】
入力操作部１２１は、キーボードの場合には、キー入力機構であり、操作者の押下したキーに対応する信号を制御部１２２に供給する。また、マウスの場合には、変位検出機構であり、本体の移動方向に応じたＸ、Ｙ方向各々の変位に応じたパルスを制御部１２２に供給する。
【００１８】
制御部１２２は、入力操作部１２１から供給された情報を処理して、キーコードあるいは座標情報を作成し、インタフェース部１２３に供給する。インタフェース部１２３は、制御部１２２とコンピュータ本体１１３とのインタフェースをとる。
【００１９】
記憶部１２４は、不揮発性記憶装置から構成されており、コンピュータ本体１１３に設定すべき設定情報などが記憶されている。
【００２０】
図４はコンピュータ本体１１３のブロック構成図を示す。
【００２１】
コンピュータ本体１１３は、いわゆる、パーソナルコンピュータであり、インタフェース１３１、ハードディスクドライブ１３２、ＣＰＵ１３３、メモリ１３４、ディスクドライブ１３５などから構成され、ＯＳ上でプログラムを実行することにより、各種データ処理を行なう。
【００２２】
〔入力装置１１１〕
図５は入力装置１１１の処理フローチャートを示す。
【００２３】
入力装置１１１は、制御部２２により以下のような処理を行なう。
【００２４】
入力装置１１１は、ステップＳ１−１でコンピュータ本体１１３から識別情報ＩＤの要求があると、ステップＳ１−２で記憶部１２４から識別情報ＩＤを読出し、ステップＳ１−３で記憶部１２４から読み出した識別情報ＩＤをコンピュータ本体１１３に送出する。
【００２５】
入力装置１１１は、ステップＳ１−４で動作許可されると、ステップＳ１−５でコンピュータ本体１１３から設定情報の要求があったか否かを判定する。入力装置１１１は、ステップＳ１−５で設定情報の要求があると、ステップＳ１−６で記憶部１２４より設定情報を読出し、ステップＳ１−７でコンピュータ本体１１３に送出する。これによって、コンピュータ本体１１３のＯＳに設定情報が登録される。
【００２６】
入力装置１１１は、ステップＳ１−８でキー入力があると、ステップＳ１−９でコンピュータ本体１１３にキー入力情報を送出する。入力装置１１１は、ステップＳ１−１０で入力装置１１１がコンピュータ本体１１３から切断されるまで、ステップＳ１−８、Ｓ１−９によりキー入力情報を送出する。
【００２７】
〔コンピュータ本体１１３〕
図６はコンピュータ本体１１３の処理フローチャートを示す。
【００２８】
コンピュータ本体１１３は、ステップＳ２−１で入力装置１１が接続されると、ステップＳ２−２で入力装置１１１に識別情報ＩＤを要求する。コンピュータ本体１１３は、ステップＳ２−３で入力装置１１１から識別情報ＩＤを受信すると、ステップＳ２−４で入力装置１１１から供給された識別情報ＩＤが予め登録されている識別情報ＩＤと一致するか否かを判定する。
【００２９】
コンピュータ本体１１３は、ステップＳ２−４で入力装置１１１から供給された識別情報ＩＤと一つする識別情報ＩＤが予め登録されている場合には、ステップＳ２−５で入力装置１１１に操作許可通知を行なう。次に、コンピュータ本体１１３は、ステップＳ２−６で入力装置１１１に設定情報を要求する。
【００３０】
コンピュータ本体１１３は、ステップＳ２−７で入力装置１１１から設定情報を受信すると、ステップＳ２−８で入力装置１１１から供給された設定情報を登録する。コンピュータ本体１１３は、ステップＳ２−９で入力装置１１１から座標、文字コードなどの入力情報を受信すると、ステップＳ２−１０で登録された設定情報に基づいて入力情報の表示する時間などを制御するなどの処理を行なう。
【００３１】
コンピュータ本体１１３は、ステップＳ２−１１で入力装置１１１がコンピュータ本体１１３から切断されるまで、ステップＳ２−９、Ｓ２−１０による入力動作を繰り替える。コンピュータ本体１１３は、ステップＳ２−１１で入力装置１１１がコンピュータ本体１１３から切断されると、ステップＳ２−１２で登録された設定情報を消去する。コンピュータ本体１１３に個人の設定情報が残ることを防止できる。
【００３２】
本実施例では、入力装置１１１の記憶部１２４に記憶された識別情報ＩＤによりセキュリティー性を確保できる。また、本実施例では、設定情報を入力装置１１１側に持ち、入力装置１１１をコンピュータ本体１１３に接続した時に、入力装置１１１からコンピュータ本体１１３に設定情報を送信し、コンピュータ本体１１３は以降、受信した設定情報に基づいて入力装置１１１から送られてくるデータを処理する。これによって、コンピュータ本体１１３が代わっても、入力装置１１１を常に同じ動作環境で動作させることができる。よって、各入力装置１１１毎に設定された操作環境で操作を行なうことができるため、操作性を向上させることができる。
【００３３】
なお、本実施例では、入力装置１１１に内蔵された記憶部１２４に識別情報ＩＤ及び設定情報を記憶したが、入力装置１１１にメモリカードスロットを設けて、これに装着されるメモリカードに識別情報ＩＤ及び設定情報を記憶するようにしてもよい。
【００３４】
〔第２実施例〕
図７は本発明の第２実施例のシステム構成図を示す。図８は入力装置２１１のブロック構成図を示す。同図中、図２、図３と同一構成部分には同一符号を付し、その説明は省略する。
【００３５】
本実施例の情報処理システム２００は、入力装置２１１の構成が異なるとともに、入力装置２１１及びコンピュータ本体１１３の処理が第１実施例とは相違する。本実施例の入力装置２１１は、メモリカード２１２が装着されるメモリスロット２２４を有する。
【００３６】
本実施例では、メモリカード２１２に識別情報ＩＤ及び設定情報が記憶させ、第１実施例と同様な動作を行なわせる。この場合、コンピュータ本体１１３だけでなく、入力装置２１１が代わってもメモリカード２１２を差し替えるだけで、入力装置２１１を常に同じ動作環境で動作させることができる。
【００３７】
図９は入力装置２１１の処理フローチャートを示す。
【００３８】
入力装置２１１は、ステップＳ３−１でコンピュータ本体１１３に接続されると、ステップＳ３−２でメモリカードスロット１２４に装着されたメモリカード２１２に識別情報ＩＤを要求する。入力装置２１１は、ステップＳ３−３でメモリカード２１２から識別情報ＩＤを受信すると、ステップＳ３−４でメモリカード２１２から読み出された識別情報ＩＤが予め登録されている識別情報ＩＤと一致するか否かを判定する。
【００３９】
入力装置２１１は、ステップＳ３−４でメモリカード２１２から供給された識別情報ＩＤと一つする識別情報ＩＤが予め登録されている場合には、ステップＳ３−５で入力装置２１１の動作を許可する通知をコンピュータ本体１１３に通知する。次に、入力装置２１１は、ステップＳ３−６でコンピュータ本体１１３から設定情報要求を受信すると、ステップＳ３−７でメモリカード２１２から設定情報を読み出し、ステップＳ３−８でメモリカード２１２から読み出した設定情報をコンピュータ本体１１３に送出する。
【００４０】
入力装置２１１は、ステップＳ３−９で、入力操作部１２１からキー入力があると、ステップＳ３−１０でコンピュータ本体１１３にキー入力情報を送出する。入力装置２１１は、ステップＳ３−１１で入力装置１１１がコンピュータ本体１１３から切断されるまで、ステップＳ３−９、Ｓ３−１０によりキー入力情報を送出する。
【００４１】
〔コンピュータ本体１１３〕
図１０はコンピュータ本体１１３の処理フローチャートを示す。
コンピュータ本体１１３は、ステップＳ４−１で入力装置２１１が接続され、入力装置２１１から動作許可通知があると、ステップＳ４−２で、入力装置２１１に設定情報を要求する。コンピュータ本体１１３は、ステップＳ４−３で入力装置２１１から設定情報を受信すると、ステップＳ４−４で入力装置２１１から供給された設定情報を登録する。コンピュータ本体１１３は、ステップＳ４−５で入力装置１１１から座標、文字コードなどの入力情報を受信すると、ステップＳ４−６で登録された設定情報に基づいて入力情報の表示する時間などを制御するなどの処理を行なう。
【００４２】
コンピュータ本体１１３は、ステップＳ４−７で入力装置１１１がコンピュータ本体１１３から切断されるまで、ステップＳ４−５、Ｓ４−６による入力動作を繰り替える。コンピュータ本体１１３は、ステップＳ４−７で入力装置１１１がコンピュータ本体１１３から切断されると、ステップＳ４−８で登録された設定情報を消去する。
【００４３】
なお、上記第１、第２実施例では、記憶部１２４及びメモリカード２１２に識別情報ＩＤ及び設定情報を記憶するようにしたが、識別情報ＩＤ及び設定情報以外にも住所録、定形文などの情報を記憶するようにしてもよい。
【００４４】
なお、入力装置２１１のメモリカードスロット２２４に装着されたメモリカード２１２は、そのまま通常のメモリストレージとして使うことができる。
【００４５】
図１１はメモリストレージへのコピー／貼り付け動作を説明するための図を示す。図１１（Ａ）はコピー時、図１１（Ｂ）は貼り付け時の画面を示す。
【００４６】
この場合、入力装置２１１は、例えば、マウスから構成されているものとする。入力装置２１１の入力操作部１２１を構成する右ボタンをクリックすると、右クリックメニューＭ１が表示される。右クリックメニューＭ１のうち「メモリに切り取り」／「メモリにコピー」を選択することで、コンピュータ本体１１３から入力装置２１１にデータが送信され、入力装置２１１でデータをメモリカード２１２に記憶する。同様に、入力装置２１１の入力操作部１２１を構成する右ボタンをクリックすると、右クリックメニューＭ１が表示される。右クリックメニューＭ１のうちの「メモリから貼り付け」が選択されると、入力装置２１１は、メモリカード２１２からデータを読み出し、コンピュータ本体１１３に供給する。コンピュータ本体１１３は、入力装置２１１から供給されたデータを実行中のアプリケーションに貼り付ける。
【００４７】
また、連続した手順を踏む操作が必要な場合、その手順をメモリに登録することにより、自動的にその手順を再現することができる。
【００４８】
図１２は入力装置２１１の連続操作処理の処理フローチャートを示す。
【００４９】
この場合、入力装置２１１は、キーボードから構成されているものとする。入力装置２１１は、ステップＳ５−１で予め割当てられた、例えば、「あるフォルダで全てのファイルを選択してコピーする」旨の特定のファンクションキーの操作があると、ステップＳ５−２でメモリカード２１２から特定のファンクションキーに対応して予め記憶された操作手順情報を順次に読み出し、コンピュータ本体１１３に順次に送出する。
【００５０】
入力装置２１１には、ステップＳ５−２１でメモリカード２１２から「Ctrl」キーを押下した旨の情報が供給され、コンピュータ本体１１３に送出する。次に入力装置２１１は、ステップＳ５−２２でメモリカード２１２から「Ａ」キーを押下した旨の情報が読み出され、コンピュータ本体１１３に送出する。
【００５１】
次に入力装置２１１には、ステップＳ５−２３でメモリカード２１２から「Ａ」キーを押上げた旨の情報が供給され、コンピュータ本体１１３に送出する。入力装置２１１はステップＳ５−２４でメモリカード２１２から「Ctrl」キーを押上げた旨の情報が読み出され、コンピュータ本体１１３に送出する。
【００５２】
以上の操作により、コンピュータ本体１１３では、あるフォルダの全てのファイルが選択される。
【００５３】
次に入力装置２１１には、ステップＳ５−２５でメモリカード２１２から「Ctrl」キーを押下した旨の情報が供給され、コンピュータ本体１１３に送出する。次に入力装置２１１は、ステップＳ５−２６でメモリカード２１２から「Ｃ」キーを押下した旨の情報が読み出され、コンピュータ本体１１３に送出する。
【００５４】
次に入力装置２１１には、ステップＳ５−２７でメモリカード２１２から「Ｃ」キーを押上げた旨の情報が供給され、コンピュータ本体１１３に送出する。入力装置２１１はステップＳ５−２８でメモリカード２１２から「Ctrl」キーを押上げた旨の情報が読み出され、コンピュータ本体１１３に送出する。
【００５５】
以上の操作により、コンピュータ本体１１３では、選択されたファイルがコピーされる。
【００５６】
本実施例によれば、上記の「Ctrl」キー＋「Ａ」キーで全てを選択し、「Ctrl」キー＋「Ｃ」キーでコピーするという操作を一連の操作手順を特定ファンクションキーに対応させてメモリカード２１２に登録しておくことにより、特定ファンクションキーの操作により自動的にキーデータ「Ctrl」＋「Ａ」、「Ctrl」＋「Ｃ」を送出することで、実行でき、操作を簡略化することができる。
【００５７】
なお、ウィンドウズ（登録商標）などでは、キーボード入力にはショートカットキー入力が可能で、それらは、設定画面でどのショートカットキーに何の機能を割り振るかを個別に設定することが可能であるが、先に記した通り、これはコンピュータ本体１１３側に記憶される情報で、別なコンピュータに接続したり、コンピュータのＯＳを再インストールした場合などには、新たに設定し直したりする必要があるが、本実施例のように、このショートカットキー設定を入力装置２１１のメモリカード２１２に保存することにより、コンピュータやＯＳによらず、同じ設定を維持できる。
【００５８】
また、メールなどの文章を打つ場合、個人毎に決まった定形文がある。定形文はＯＳに登録されていると便利だが、共有のパソコンなどで登録すると他のユーザにも適用されてしまう。そこで、入力装置２１１の記憶部１２４や、メモリカードスロット２１４に装着されるメモリカード２１２に定形文を登録することで、これを入力装置２１１のショートカットキーで入力できるようにする。メモリカード２１２を差し替えることで、定形文はメモリカード２１２の保有者のみに提供されるため、共有しているパソコンにおいても定形文が手軽に扱える。また、入力装置２１１がマウスなどの場合には、通常、文字を入力するものではないが、マウスにこの機能を持たせ、右クリックメニューから入力可能にすることにより、文章入力が簡単に行なえるようにすることもできる。
【００５９】
さらに、パソコン使用時は、仕事、インターネット閲覧などに関わらず、名前、住所、電話番号などの情報を入力する場面が多々ある。従来はその都度入力してきたが、この個人情報を入力装置１１１、２１１の記憶部１２４や入力装置２１１のメモリカード２１２に登録し、ショートカットキー操作により入力できるようにする。これにより、コンピュータ本体１１３によらず簡単に個人情報を入力することができるようになる。また、これをメモリカード２１２に登録し、個人管理することで、他のユーザが入力できないようにセキュリティ性を持たせることができる。
【００６０】
また、インターネット閲覧時などはマウスのみで操作することが多いため、入力装置１１１、２１１がマウスの場合には、この機能を持たせ、右クリックメニューから入力可能にすりことにより、インターネット閲覧がより快適に行なえるようにすることもできる。
【００６１】
〔第３実施例〕
ＡＶアンプなど多数のＡＶ機器を接続する装置では、１つのリモートコントローラで多数の機器を操作可能にするために、リモートコントローラに学習機能がついている場合がある。学習機能付きリモートコントローラは他の機器のリモートコントローラから送信される信号を受光し、そのパターンを学習することで、学習機能付きリモートコントローラでも他の機器を操作できるようになる。この場合、ＡＶアンプが変って、ＡＶアンプのリモートコントローラが変ってしまえば、新たに学習させなければならない。
【００６２】
学習機能付きリモートコントローラにメモリカードを搭載し、学習結果をメモリカードに保存する。学習結果を保存したメモリカードを他のリモートコントローラに挿入することで、そのリモートコントローラに学習データを移すことができる。
【００６３】
図１３は本発明の第３実施例のシステム構成図を示す。
【００６４】
本実施例のオーディオ−ビジュアル（ＡＶ）システム３００は、リモートコントローラ３１１、メモリカード３１２、ＡＶアンプ３１３、スピーカ３１４、ＤＶＤプレーヤ３１５、モニタ３１６などから構成されている。
【００６５】
リモートコントローラ３１１は、キー操作に応じた情報を赤外線として送出し、ＡＶアンプ３１３、ＤＶＤプレーヤ３１５、モニタ３１６などをリモートコントロールする。
【００６６】
メモリカード３１２には、他のリモートコントローラの学習情報などが記憶されている。ＡＶアンプ３１３は、ＤＶＤプレーヤ３１５よりディスク３１７から読み出された音声情報をサラウンド処理してスピーカ３１４を駆動する。スピーカ３１４は、ＡＶアンプ３１２により駆動されて、音声を出力する。モニタ３１６は、ＤＶＤプレーヤ３１５よりディスク３１７から読み出された映像情報を表示する。
【００６７】
図１４はリモートコントローラ３１１のブロック構成図を示す。
【００６８】
リモートコントローラ３１１は、入力操作部３２１、制御部３２２、赤外線通信部３２３、メモリカードスロット３２４、記憶部３２５から構成される。
【００６９】
入力操作部３２１は、キースイッチなどから構成されており、キースイッチの操作に応じた信号を制御部３２２に供給する。制御部３２２は、入力操作部３２１から供給された信号に応じて送出情報を作成し、赤外線通信部３２３に供給する。赤外線通信部３２３は、制御部３２２で作成された送出情報に応じて赤外線を発光する。メモリカードスロット３２４には、メモリカード３１２が装着され、制御部３２２からメモリカード３１２へのアクセスを可能とする。記憶部３２５は、不揮発性記憶装置から構成されており、学習情報などを記憶している。
【００７０】
図１５はリモートコントローラ３１１の処理フローチャートを示す。
【００７１】
リモートコントローラ３１１は、例えば、ステップＳ６−１でリセットなどの操作が行なわれると、ステップＳ６−２でメモリカードスロット３２４に装着されたメモリカード３１２に学習情報の読み出しを要求する。次にリモートコントローラ３１１は、ステップＳ６−３でメモリカード３１２から学習情報が読み出されると、ステップＳ６−４でメモリカード３１２から読み出された学習情報を記憶部３２５に記憶する。
【００７２】
リモートコントローラ３１１は、ステップＳ６−５で入力操作部３２１からキー入力があると、ステップＳ６−６で入力キー情報を赤外線として外部に送出する。リモートコントローラ３１１は、次回リセット操作があるまで、ステップＳ６−５、Ｓ６−６を繰り返して、キー操作を可能とする。
【００７３】
このとき、学習情報は、コンピュータシステムのメモリカードスロットにメモリカードを装着して、ウェブ上に公開されたリモートコントローラの操作情報をコンピュータシステムを用いてメモリカードにダウンロードした後に、メモリカード３１２をリモートコントローラ３１１に装着して、リモートコントローラ３１１に読み取らせるようにしてもよい。
【００７４】
〔その他〕
なお、本実施例では、コンピュータ周辺装置としてキーボードやマウスなどの入力装置を例に説明を行なったが、リモートコントローラなどコンピュータに接続されて、コンピュータに設定された設定値に応じて動作するコンピュータ周辺装置であれば、これらに限定されるものではない。
【図面の簡単な説明】
【００７５】
【図１】従来の一例の動作説明である。
【図２】本発明の第１実施例のシステム構成図である。
【図３】入力装置１１１のブロック構成図である。
【図４】コンピュータ本体１１３のブロック構成図である。
【図５】入力装置１１１の処理フローチャートである。
【図６】コンピュータ本体１１３の処理フローチャートである。
【図７】本発明の第２実施例のシステム構成図である。
【図８】入力装置２１１のブロック構成図である。
【図９】入力装置２１１の処理フローチャートである。
【図１０】コンピュータ本体１１３の処理フローチャートである。
【図１１】メモリストレージへのコピー／貼り付け動作を説明するための図である。
【図１２】入力装置２１１の連続操作処理の処理フローチャートである。
【図１３】本発明の第３実施例のシステム構成図である。
【図１４】リモートコントローラ３１１のブロック構成図である。
【図１５】リモートコントローラ３１１の処理フローチャートである。
【符号の説明】
【００７６】
１００、２００  情報処理システム
１１１  入力装置、１１２  コンピュータ本体、１１３  表示装置
１２１  入力操作部、１２２  制御部、１２３  インタフェース部、１２４  記憶部
１３１  インタフェース、１３２  ハードディスクドライブ、１３３  ＣＰＵ
１３４  メモリ、１３５  ディスクドライブ
【図１】
2006171846.tif 000003
【図２】
2006171846.tif 000004
【図３】
2006171846.tif 000005
【図４】
2006171846.tif 000006
【図５】
2006171846.tif 000007
【図６】
2006171846.tif 000008
【図７】
2006171846.tif 000009
【図８】
2006171846.tif 000010
【図９】
2006171846.tif 000011
【図１０】
2006171846.tif 000012
【図１１】
2006171846.tif 000013
【図１２】
2006171846.tif 000014
【図１３】
2006171846.tif 000015
【図１４】
2006171846.tif 000016
【図１５】
2006171846.tif 000017